(57)【要約】【課題】センサ装置及び生体情報収集システムを提供する。【解決手段】  本発明の実施形態にかかるセンサ装置は、割り当てられたＩＤ情報及びタイミング情報を記憶する情報管理部と、時刻をカウントするカウンタ部と、電力供給装置から無線で電力の供給を受ける電力受容部と、供給を受けた電力を蓄積する蓄積部と、生体信号を受信するセンサ部と、生体信号に応じたデータをＩＤ情報と関連付けて外部装置へ送信する送信部であって、カウントされた時刻とタイミング情報とに応じて決められる期間に、蓄積部に蓄積された電力を消費して当該データを送信する送信部と、を備える。【選択図】  図２
2017205421.tif 000002
【特許請求の範囲】
【請求項１】
割り当てられたＩＤ情報及びタイミング情報を記憶する情報管理部と、
時刻をカウントするカウンタ部と、
電力供給装置から無線で電力の供給を受ける電力受容部と、
前記供給を受けた電力を蓄積する蓄積部と、
生体信号を受信するセンサ部と、
前記生体信号に応じたデータを前記ＩＤ情報と関連付けて外部装置へ送信する送信部であって、前記カウントされた時刻と前記タイミング情報とに応じて決められる期間に、前記蓄積部に蓄積された電力を消費して当該データを送信する送信部と、
を備えることを特徴とするセンサ装置。
【請求項２】
割り当てられたＩＤ情報を記憶する情報管理部と、
電力供給装置から無線で電力の供給を受ける電力受容部と、
前記供給を受けた電力を蓄積する蓄積部と、
生体信号を受信するセンサ部と、
前記生体信号に応じたデータを外部装置へ送信する送信部であって、前記情報管理部に記憶された前記ＩＤ情報を指定したデータ送信要求が前記外部装置から受信された場合に、前記蓄積部に蓄積された電力を消費して当該データを送信する送信部と、
を備えることを特徴とするセンサ装置。
【請求項３】
前記センサ部は、電極を有し、前記電極を介して生体から電気信号を取得することによって前記生体信号を受信することを特徴とする請求項１又は２に記載のセンサ装置。
【請求項４】
前記センサ部は、発光素子及び受光素子を有し、前記発光素子からの光に対する生体からの反射光を前記受光素子によって受光することによって前記生体信号を受信することを特徴とする請求項１又は２に記載のセンサ装置。
【請求項５】
前記電力受容部は、前記電力供給装置との磁気共鳴により前記電力供給装置から無線で電力の供給を受けることを特徴とする請求項１又は２に記載のセンサ装置。
【請求項６】
請求項１又は２に記載されたセンサ装置を複数備え、
前記複数のセンサ装置のうち、少なくとも２以上のセンサ装置から前記データが送信される期間が異なることを特徴とする生体情報収集システム。
【請求項７】
前記複数のセンサ装置に対して無線で電力を供給する電力供給装置と、
前記複数のセンサ装置から前記データを受信する外部装置と、
を備えることを特徴とする請求項６に記載の生体情報収集システム。
【請求項８】
前記外部装置が前記情報管理部に対してＩＤ情報及びタイミング情報を割り当てることを特徴とする請求項７に記載の生体情報収集システム。
【請求項９】
前記外部装置は、前記複数のセンサ装置から受信した前記データを所定の解析方法で解析して解析結果を生成する解析部に当該データを出力することを特徴とする請求項７に記載の生体情報収集システム。
【発明の詳細な説明】
【技術分野】
【０００１】
本発明は、センサ装置及び生体情報収集システムに関する。
【背景技術】
【０００２】
従来、脳波や脳の血流量にかかる情報を収集するために、ケーブルを通じて電源からの電力が供給される電極を用いる装置が使用されてきた（例えば、特許文献１）。
【先行技術文献】
【特許文献】
【０００３】
【特許文献１】特開２００９−２４７５１２号公報
【発明の概要】
【発明が解決しようとする課題】
【０００４】
しかしながら、ケーブルを通じて電源からの電力が供給される電極を複数用いると、ノイズが生じる、装着される人への負担が大きくなる等の不都合があった。また、測定中に複数の電極を常に動作させていると消費電力が大きくなるため、給電ケーブルを用いて電源から直接給電することが必要になる、装置が大型化する等の問題があった。
【０００５】
そこで、本発明は、装着される人への負担を低減することが可能な、小型の生体情報収集のためのセンサ装置及び当該センサ装置を有する生体情報収集システムを提供することを目的とする。
【課題を解決するための手段】
【０００６】
本発明の実施形態にかかるセンサ装置は、割り当てられたＩＤ情報及びタイミング情報を記憶する情報管理部と、時刻をカウントするカウンタ部と、電力供給装置から無線で電力の供給を受ける電力受容部と、前記供給を受けた電力を蓄積する蓄積部と、生体信号を受信するセンサ部と、前記生体信号に応じたデータを前記ＩＤ情報と関連付けて外部装置へ送信する送信部であって、前記カウントされた時刻と前記タイミング情報とに応じて決められる期間に、前記蓄積部に蓄積された電力を消費して当該データを送信する送信部と、を備える。
【０００７】
また、本発明の他の実施形態にかかるセンサ装置は、割り当てられたＩＤ情報を記憶する情報管理部と、電力供給装置から無線で電力の供給を受ける電力受容部と、前記供給を受けた電力を蓄積する蓄積部と、生体信号を受信するセンサ部と、前記生体信号に応じたデータを外部装置へ送信する送信部であって、前記情報管理部に記憶された前記ＩＤ情報を指定したデータ送信要求が前記外部装置から受信された場合に、前記蓄積部に蓄積された電力を消費して当該データを送信する送信部と、を備える。
【０００８】
また、本発明の実施形態にかかるセンサ装置のセンサ部は、電極を有し、前記電極を介して生体から電気信号を取得することによって前記生体信号を受信するように構成してもよい。
【０００９】
また、本発明の実施形態にかかるセンサ装置のセンサ部は、発光素子及び受光素子を有し、前記発光素子からの光に対する生体からの反射光を前記受光素子によって受光することによって前記生体信号を受信するように構成してもよい。
【００１０】
また、本発明の実施形態にかかるセンサ装置の電力受容部は、前記電力供給装置との磁気共鳴により前記電力供給装置から無線で電力の供給を受けるように構成してもよい。
【００１１】
本発明の実施形態にかかる生体情報収集システムは、複数のセンサ装置を備え、前記複数のセンサ装置のうち、少なくとも２以上のセンサ装置から前記データが送信される期間が異なるように構成してもよい。
【００１２】
また、本発明の実施形態にかかる生体情報収集システムは、前記複数のセンサ装置に対して無線で電力を供給する電力供給装置と、前記複数のセンサ装置から前記データを受信する外部装置を備えてもよい。
【００１３】
また、本発明の実施形態にかかる生体情報収集システムでは、前記外部装置が前記情報管理部に対してＩＤ情報及びタイミング情報を割り当ててもよい。
【００１４】
また、本発明の実施形態にかかる生体情報収集システムの前記外部装置は、前記複数のセンサ装置から受信した前記データを所定の解析方法で解析して解析結果を生成する解析部に当該データを出力してもよい。
【発明の効果】
【００１５】
本発明によると、装着される人への負担を低減することが可能な、小型の生体情報収集のためのセンサ装置及び当該センサ装置を有する生体情報収集システムを提供することができる。
【図面の簡単な説明】
【００１６】
【図１】本発明の実施形態に係る生体情報収集システムの全体図である。
【図２】本発明の第１実施形態に係るセンサ装置及び電力供給装置のモジュールを示す図である。
【図３】本発明の実施形態の外部装置の動作のフローチャートを示す図である。
【図４】本発明の実施形態のセンサ装置の動作のフローチャートを示す図である。
【図５】本発明の第２実施形態に係るセンサ装置及び電力供給装置のモジュールを示す図である。
【発明を実施するための最良の形態】
【００１７】
以下、本発明の実施形態に係るセンサ装置及び当該センサ装置を有する生体情報収集システムについて、図面を参照しながら詳細に説明する。なお、実施形態においては、本発明のセンサ装置及び当該センサ装置を有する生体情報収集システムの例を示しており、本発明のセンサ装置及び当該センサ装置を有する生体情報収集システムは、それら実施形態に限定されるものではない。
【００１８】
（実施形態１）
図１は、本発明の実施形態に係る生体情報収集システムの全体図である。
【００１９】
生体情報収集システム１００は、複数のセンサ装置１１０ａ、１１０ｂ、１１０ｃ、・・・（以下の説明において、複数のそれぞれを区別しない場合には、センサ装置１１０という。）、電力供給装置１５０及び外部装置１８０を備える。
【００２０】
センサ装置１１０は、生体に装着され、外部装置１８０から生体情報の収集の開始を指示されると、電力供給装置１５０から供給を受けた電力を用いて生体からの生体信号を受信し、受信した生体信号を外部装置１８０に送信する。図１には、５つのセンサ装置１１０を頭部に規則的に離間させて装着する例を記載したが、本発明の実施形態に係るセンサ装置１１０はこれに限られず、これと異なる数のセンサ装置１１０を備えてもよく、また、配置場所は不規則であってもよく、相互に密着させて装着させてもよい。センサ装置１１０及び電力供給装置１５０の詳細な構成については後述する。
【００２１】
外部装置１８０は、パーソナルコンピューター、スマートフォン、タブレット端末等であってもよく、無線通信が可能な他の端末であってもよい。
【００２２】
図２は、本発明の第１実施形態に係るセンサ装置及び電力供給装置のモジュールを示す図である。
【００２３】
外部装置１８０は、通信部１８２、制御部１８４、記憶部１８６及びタッチパネル１８８を有する。通信部１８２は、センサ装置１１０の小電力通信装置１３６へ各種設定の指示や測定開又は終了の指示等を出す、小電力通信装置１３６からデータを受信する等、センサ装置１１０との通信を行う。制御部１８４は、小電力通信装置１３６から受信したデータの解析をする解析部等を構成する。記憶部１８６は、小電力通信装置１３６から受信したデータや、当該データの解析結果等を記憶する。タッチパネル１８８は、小電力通信装置１３６への指示する入力部及び受信したデータや解析結果等を表示する表示部等を構成する。
【００２４】
電力供給装置１５０は、電源１５１、発振部１５２、増幅器１５３及び送電コイル１５４を有する。電源１５１は、直流電力を出力する電源であって、この例ではリチウムイオン電池等の二次電池である。電源１５１は、乾電池等の一次電池であってもよい。発振部１５２は、電源１５１の出力を交流に変換する。増幅器１５３は、交流に変換された出力を増幅する。送電コイル１５４は、増幅された電流をセンサ装置へ伝送する。
【００２５】
センサ装置１１０は、受電コイル１２０、整流器１２２、キャパシタ１２４及びレギュレータ１２６を備える。これらの各構成によって受電回路を形成する。受電コイル１２０は、電力供給装置１５０の送電コイル１５４から無線で電力の供給を受ける電力受容部を構成する。整流器１２２は、受電コイル１２０により供給を受けた交流電力を直流電力に変換する。キャパシタ１２４は、変換された電力を蓄積する蓄積部を構成する。レギュレータ１２６は、出力される電流の量を制御する。この制御によって、キャパシタ１２４に蓄積された電力の消費量を調整する。
【００２６】
送電コイル１５４の直径は４８ｍｍ、巻数は６回であってもよい。受電コイル１２０の直径は１２ｍｍ、巻数は２０回であってもよく、このときの受電コイル１２０における１秒間で供給される電力供給量は５０ｍＷ・秒程度となる。送電コイル１５４と受電コイル１２０との磁気共鳴により、電力供給装置１５０からセンサ装置１１０へと無線で電力が供給される。
【００２７】
センサ装置１１０は、さらに、センサ部１３０、増幅器１３２、アナログ／デジタル変換回路１３４、小電力通信装置１３６及びマイクロコントローラ１３８を備える。センサ部１３０は、生体から生体信号を受信する。増幅器１３２は、受信した生体信号を増幅する。アナログ／デジタル変換回路１３４は、増幅された信号をデジタル信号に変換する。小電力通信装置１３６は、変換された生体信号に応じたデータを外部装置へ無線送信する送信部を構成する。マイクロコントローラ１３８は、外部装置により割り当てられたＩＤ情報及びタイミング情報を記憶する情報管理部１３８ａ及び時刻をカウントするカウンタ部１３８ｂを有する。センサ部１３０、増幅器１３２、アナログ／デジタル変換回路１３４、小電力通信装置１３６及びマイクロコントローラ１３８のそれぞれは、電力供給装置１５０から供給され、キャパシタ１２４に蓄積された電力を消費して動作する。
【００２８】
本実施形態のセンサ部１３０は電極であり、増幅器１３２の入力インピーダンスは５００ＭΩ、分解能は２４ｂｉｔ、観測レンジは０〜５０μＶであってもよい。
【００２９】
また、アナログ／デジタル変換回路１３４のサンプリング周波数は２４０サンプル／秒、データレートは６ｋｂｐｓ程度（２４０サンプル／秒×２４ｂｉｔ）であってもよく、この場合、アナログ／デジタル変換回路１３４における消費電力は約４０ｍＷ・秒以下になる。
【００３０】
小電力通信装置１３６は、キャパシタ１２４に蓄積された電力を消費して、例えばＢｌｕｅｔｏｏｔｈ（登録商標）（Ｂｌｕｅｔｏｏｔｈ  ４．２・・・・Ｅｘｔｅｎｓｉｏｎ等）の無線手段を用いて外部装置１８０とのデータの送受信を行ってもよい。小電力通信装置１３６のアプリケーションスループットは６５０ｋｂｐｓであってもよく、この場合、小電力通信装置１３６における消費電力は０．１ｍＷ・秒（１０ｍＷ×１／１００秒）となる。このような構成にすることで、センサ装置１１０における消費電力を１秒の中で平滑化すると、電力供給装置１５０から受ける電力供給量がセンサ装置１１０における消費電力より上回るようになる。すなわち、電力供給装置１５０から供給される電力をセンサ装置１１０のキャパシタ１２４に蓄積しておき、小電力通信装置１３６から外部装置１８０へのデータ送信に必要な分のみキャパシタ１２４に蓄積していた電力を消費するので、センサ装置１１０における消費電力を１秒の中で平滑化すると、電力供給装置１５０から受ける電力供給量がセンサ装置１１０における消費電力より上回るようになる。本実施形態のセンサ装置の構成はこれに限られず、電力供給装置１５０から受ける電力供給量がセンサ装置１１０における消費電力より上回るようになる仕様であれば、他の仕様で構成されてもよい。例えば、電力供給装置１５０から受ける電力供給量は４０．１ｍＷまで低減されてもよい。また、複数のセンサ装置１１０を用いる場合には、複数のセンサ装置１１０における合計の消費電力量より大きい電力が供給されるように電力供給装置１５０が送信する電力供給量を設定すればよい。例えば、３つのセンサ装置１１０が存在する場合には、電力供給装置１５０が供給する電力は、１２０．３ｍＷ（４０．１ｍＷ×３）以上であればよく、１５０ｍＷ（５０ｍＷ×３）以上でなくてもよい。
【００３１】
小電力通信装置１３６から外部装置１８０へデータが送信される際は、マイクロコントローラ１３８の情報管理部１３８ａに記憶された当該センサ装置固有のＩＤと関連付けて送信される。
【００３２】
マイクロコントローラ１３８は、小電力通信装置１３６が外部装置１８０に対して生体情報に応じたデータを送信する期間を制御する。すなわち、マイクロコントローラ１３８は、カウンタ部１３８ｂでカウントされた時刻及び情報管理部１３８ａに記憶された当該センサ装置固有のタイミング情報に基づいて、小電力通信装置１３６が外部装置１８０に対して生体情報に応じたデータを送信するタイミングを決定する。当該センサ装置固有のタイミング情報は外部装置１８０等によって予め割り当てられる。
【００３３】
例えば、図１を参照すると、センサ装置１１０ａ、センサ装置１１０ｂ及びセンサ装置１１０ｃは、それぞれのマイクロコントローラ１３８のカウンタ部１３８ｂでカウントされた時刻と、それぞれの情報管理部１３８ａに記憶された当該センサ装置固有のタイミング情報とに基づいて外部装置１８０に対して生体情報に応じたデータを送信する。したがって、本実施形態のセンサ装置によると、センサ装置１１０ａ、センサ装置１１０ｂ、センサ装置１１０ｃが外部装置１８０に対して生体情報に応じたデータを送信するタイミングは個別に設定することができるので、例えば、センサ装置１１０ａ、センサ装置１１０ｂ、センサ装置１１０ｃはそれぞれ別のタイミングで外部装置１８０に対して生体情報に応じたデータを送信するように設定してもよいし、送信期間の一部又は全部が重なるように設定してもよい。このように、本実施形態のセンサ装置１１０によると、各センサ装置１１０を独立に制御することも、群として制御することも容易になるため、各センサ装置１１０を柔軟に制御することができる。
【００３４】
このように本実施形態のセンサ装置１１０が外部装置１８０に対してデータを送信するのは予め割り当てられたタイミング期間のみであり、常にデータ送信をしているわけではないので、データ送信により費消される電力を抑えることができる。したがって、ノイズの原因になるケーブル等の電源ラインを用いることなく、磁気共鳴によって無線でも良好に電力の供給を受けるセンサ装置１１０を構成することができるので、装着される人への負担を低減することができる。また、センサ直近に高インピーダンスアンプを配置できるので、ノイズを低減させることができる。
【００３５】
また、超小型ＬＳＩと超小型コイルで受信装置を実現することができ、寿命や交換の必要がある電池が不要となるため、生体信号の受信装置を小型化することができる。
【００３６】
さらに、各センサが独立しているので、各センサを独立に制御することも、群として制御することも容易になるため、各センサを柔軟に制御することができる。そして、消費電力を小さくすることができるので、無線によって電力を受信するセンサ装置を小型化することができる。
【００３７】
以上の説明は１つの例示にすぎず、本実施形態のセンサ装置１１０は、外部装置１８０から、マイクロコントローラ１３８の情報管理部１３８ａに記憶されたＩＤ情報を指定したデータ送信要求を受信するように構成してもよく、小電力通信装置１３６は、外部装置１８０からのデータ送信要求が受信された場合に、キャパシタ１２４に蓄積された電力を消費して当該データを外部装置１８０へ送信するように構成してもよい。
【００３８】
図３は、本発明の実施形態に係る外部装置の動作のフローチャートを示す図である。
【００３９】
ユーザから外部装置１８０に対して測定開始の指示が入力されると、図３のフローが実行される。外部装置１８０は、ステップ２００でセンサ装置１１０に対して初期化の指示を行う。初期化の指示には、当該センサ装置固有のＩＤの付与や、時刻の設定が含まれる。
【００４０】
次に、外部装置１８０は、ステップ２１０で、センサ装置１１０に対して各種設定の指示を行う。各種設定の指示には、データフォーマットの設定、データの送信手順の設定、各センサのキャリブレーション等が含まれてもよい。
【００４１】
次に、外部装置１８０は、ステップ２２０で、センサ装置１１０に対して生体測定の開始の指示を行う。
【００４２】
生体測定が開始されると、外部装置１８０は、ステップ２３０で、センサ装置１１０から生体情報に応じたデータを受信したかどうかを判断する。
【００４３】
データ受信は、前述のとおり、予め定められた時間設定により蓄積データを間欠的に受信するようにしてもよいし、外部装置１８０からＩＤ情報を指定したデータ送信要求が受信された場合に、蓄積データを間欠的に受信するようにしてもよい。データ受信のタイミングは、前述のとおり、各センサ装置１１０で個別に設定してもよいし、群として設定してもよい。
【００４４】
ステップ２３０で、データを受信していないと判断されると、再びデータを受信したかどうかの判断がなされる。データを受信したと判断されると、外部装置１８０は、ステップ２４０で、複数のセンサ装置１１０から受信した各データを整理して解析部に送信し、測定結果の解析を行う。解析部は外部装置１８０に備えられてもよいし、サーバー等に備えられてもよい。そして、外部装置１８０は、ステップ２５０でユーザから外部装置１８０に対して測定終了の指示が入力されたかどうかを判定し、ステップ２６０で測定を終了する指示を確認すると、生体測定を終了する。解析部へのデータ送信は、生体測定を終了した後にまとめて行われてもよい。
【００４５】
図４は、本発明の実施形態のセンサ装置の動作のフローチャートを示す図である。
【００４６】
センサ装置１１０は外部装置１８０から初期化の指示を受信すると図４に記載されたフローを実行する。センサ装置１１０は、ステップ３００で、外部装置１８０からの指示を受けてセンサ装置１１０を初期化する。初期化には、当該センサ装置固有のＩＤの割り当て、タイミング情報の割り当て、時刻の設定が含まれる。なお、ＩＤの割り当ておよびタイミング情報の割り当ての少なくとも一方が、それぞれのセンサ装置１１０に予め割り当てられていてもよいし、外部装置１８０以外のデータ割当装置等によって割り当てられてもよい。
【００４７】
次に、センサ装置１１０が人体に装着されると、センサ装置１１０は、ステップ３１０で、外部装置１８０からの指示を受けて各種設定を行う。各種設定には、データフォーマットの設定、データの送信手順の設定、各センサのキャリブレーション等が含まれてもよい。
【００４８】
次に、センサ装置１１０は、ステップ３２０で、外部装置１８０からの指示を受けて生体測定を開始する。
【００４９】
生体測定が開始されると、センサ装置１１０は、ステップ３３０で、設定された条件により生体から生体信号のサンプリングをする。サンプリングは後述するステップ３６０のデータ送信中にも継続される。本実施形態のセンサ装置における生体からの生体信号の取得は、センサ部の電極によって行われるが、後述する実施形態２のように、発光素子及び受光素子を用いた光センサを用いて生体からの生体信号を取得してもよい。そして、センサ装置１１０は、ステップ３４０で、サンプリングした生体信号に応じたデータを蓄積する。
【００５０】
センサ装置１１０は、ステップ３５０で、マイクロコントローラ１３８のカウンタ部１３８ｂでカウントされた時刻及び情報管理部１３８ａに記憶された当該センサ装置固有のタイミング情報に基づいて、小電力通信装置１３６が外部装置１８０に対して生体情報に応じたデータを送信するタイミングを判断する。当該センサ装置固有のタイミング情報は外部装置１８０等によって予め割り当てられる。本実施形態のセンサ装置１１０はこれに限られず、外部装置１８０からＩＤ情報を指定したデータ送信要求が受信されたかどうかを判断するように構成してもよい。
【００５１】
そして、センサ装置１１０は、ステップ３６０で、予め定められた時間がきたと判断されると、設定された手順で外部装置１８０に対して蓄積データを間欠的に送信する。このとき、センサ装置１１０は、時刻などの属性をデータに付与して送信してもよい。本実施形態のセンサ装置１１０と外部装置１８０との間のデータの送信方法はこれに限られず、外部装置１８０からＩＤ情報を指定したデータ送信要求が受信されたと判断された場合に、蓄積データを間欠的に送信するようにしてもよい。データ送信のタイミングは、前述のとおり、各センサ装置１１０で個別に設定してもよいし、群として設定してもよい。
【００５２】
センサ装置１１０は、ステップ３６０で、予め定められた時間がきていないと判断した場合や、外部装置１８０からＩＤ情報を指定したデータ送信要求が受信されていないと判断した場合には、ステップ３７０で、外部装置１８０から測定を終了する指示がきたかどうかを確認する。センサ装置１１０は、ステップ３７０で測定を終了する指示がきてないことを確認すると、生体からの生体信号の受信を継続し、測定を終了する指示を確認すると、生体測定を終了する。
【００５３】
（実施形態２）
図５は、本発明の第２実施形態に係るセンサ装置及び電力供給装置のモジュールを示す図である。
【００５４】
本実施形態の外部装置、電力供給装置７５０の構成は、実施形態１で説明した電力供給装置の構成と同様である。本実施形態のセンサ装置７１０の構成は、センサ部７３０を除いて、実施形態１で説明した電力供給装置の構成と同様である。
【００５５】
本実施形態のセンサ部７３０は発光素子７３０ａ及び受光素子７３０ｂを用いた光センサであり、発光素子７３０ａの出力は５０ｍＷ、発光時間は１０マイクロ秒、分解能は１６ｂｉｔであってもよい。
【００５６】
また、受光素子７３０ｂのサンプリング周波数は１００サンプル／秒、データレートは１．６ｋｂｐｓ程度（１００サンプル／秒×１６ｂｉｔ）であってもよく、この場合、センサ部７３０における消費電力は約１０ｍＷ・秒以下になる。
【００５７】
小電力通信装置７３６は、キャパシタ７２４に蓄積された電力を消費して、例えばＢｌｕｅｔｏｏｔｈ  ４．２  Ｓｍａｒｔ  Ｄａｔａ  Ｐａｃｋｅｔ  Ｌｅｎｇｔｈ  Ｅｘｔｅｎｓｉｏｎ等の無線手段を用いて外部装置とのデータの送受信を行ってもよい。小電力通信装置７３６のアプリケーションスループットは６５０ｋｂｐｓであってもよく、この場合、小電力通信装置７３６における消費電力は０．１ｍＷ・秒（１０ｍＷ×１／１００秒）となる。このような構成にすることで、センサ装置７１０における消費電力は１秒の中で平滑化され、電力供給装置７８０から受ける電力供給量がセンサ装置７１０における消費電力より上回るようになる。本実施形態のセンサ装置の構成はこれに限られず、電力供給装置７８０から受ける電力供給量がセンサ装置７１０における消費電力より上回るようになる仕様であれば、他の仕様で構成されてもよい。
【００５８】
したがって、本実施形態のセンサ装置によると、各センサ装置を独立に制御することも、群として制御することも容易になるため、各センサ装置を柔軟に制御することができる。また、ノイズの原因になるケーブルを用いることなく、磁気共鳴によって無線でも良好に電力の供給を受けるセンサ装置を構成することができる。
【符号の説明】
【００５９】
１００  生体情報収集システム
１１０、７１０  センサ装置
１２０、７２０  受電コイル
１２２、７２２  整流器
１２４、７２４  キャパシタ
１２６、７２６  レギュレータ
１３０、７３０  センサ部
１３２、７３２  増幅器
１３４、７３４  アナログ／デジタル変換回路
１３６、７３６  小電力通信装置
１３８、７３８  マイクロコントローラ
１３８ａ  情報管理部
１３８ｂ  カウンタ部
１５０、７５０  電力供給装置
１５１、７５１  電源
１５２、７５２  発振部
１５３、７５３  増幅器
１５４、７５４  送電コイル
１８０  外部装置
【図１】
2017205421.tif 000003
【図２】
2017205421.tif 000004
【図３】
2017205421.tif 000005
【図４】
2017205421.tif 000006
【図５】
2017205421.tif 000007